(57)【要約】      （修正有）【課題】マルチプル・ブロードキャストドメインをサポートするマルチポート・ネットワーク・デバイスで、物理的なスイッチポート又は論理スイッチインタフェースの何れが同じブロードキャストドメインであるのかを簡単に特定する。【解決手段】ネットワーク管理システムがネットワークのデバイスのポート又はインターフェースに関する特徴を学習するためのメカニズムを具えており、該システムは、学習した特徴から、各デバイスの何れのポート又はインターフェースが同じブロードキャストドメインの一部であるかを特定するため処理を行い、ＭＡＣアドレス、デバイスＩＤ、ポート又はインタフェース、ＶＬＡＮ名に基づいて特徴をソートすることにより特定を行う。【選択図】図１
2004328732.tif 000002
【特許請求の範囲】
【請求項１】
ネットワークデバイスとポート又はインターフェースの共有ブロードキャストドメインを決定する方法であって、該方法は、
ネットワーク管理システムによって、ネットワークのデバイスの物理的なポート又は論理インターフェースに関する特徴を学習する工程；及び
学習した特徴から、各デバイスの何れのポート又はインターフェースが共通ブロードキャストドメインのパートであるかを特定する工程、
を含んでいる方法。
【請求項２】
特定工程は、デバイス内の共有特徴に関して検査する工程を含んでいる、請求項１に記載の方法。
【請求項３】
検査工程は、ＭＡＣアドレスに基づいて特徴をソートする工程を含んでいる、請求項２に記載の方法。
【請求項４】
検査工程は、学習した状態に基づいて特徴をソートする工程を含んでいる、請求項３に記載の方法。
【請求項５】
検査工程は、デバイスＩＤｓに基づいて特徴をソートする工程を含んでいる、請求項４に記載の方法。
【請求項６】
検査工程は、学習したポート又はインターフェースに基づいて特徴をソートする工程を含んでいる、請求項５に記載の方法。
【請求項７】
検査工程は、ＶＬＡＮ名又はＶＩＤに基づいて特徴をソートする工程を含んでいる、請求項６に記載の方法。
【請求項８】
ＭＡＣアドレスに基づいて特徴をソートする工程は、全てのマルチキャストアドレス又はブロードキャストアドレスを除外する工程を含んでいる、請求項７に記載の方法。
【請求項９】
学習した状態に基づいて特徴をソートする工程は、自己に基づいて、その後、学習したことに基づいて特徴をソートする工程を含んでいる、請求項８に記載の方法。
【請求項１０】
デバイスＩＤｓに基づいて特徴をソートする工程は、複製ＭＡＣアドレスが学習されるポート又はインターフェースと同様に、異なったネットワークフォワーディングデバイス上で複製ＭＡＣアドレスの発見を再点検する工程を含み、共通ブロードキャストドメイン内で、これらのデバイスの隣接性及びメンバーシップを特定する、請求項９に記載の方法。
【請求項１１】
物理的なポート或いは論理インターフェースの何れかは、共通ブロードキャストドメイン内でデバイスの隣接性及びメンバーシップを特定するために使用される、請求項１０に記載の方法。
【請求項１２】
共有ブロードキャストドメインを決定するシステムであって、該システムは、
ポート又はインターフェースを有するデバイスとネットワーク管理システムとを具えているネットワークであって、該ネットワーク管理システムは、該ネットワークのデバイスのポート又はインターフェースに関する特徴を学習するための手段を有している；及び
学習した特徴から、各デバイスの何れのポート又はインターフェースが共通ブロードキャストドメインの一部であるかを特定する手段であって、該特定手段はネットワーク管理システムと連絡している、
を含んでいるシステム。
【請求項１３】
特定手段は、デバイス内の共有特徴に関して検査する手段を含んでいる、請求項１２に記載のシステム。
【請求項１４】
検査手段は、ＭＡＣアドレスに基づいて特徴をソートする手段を含んでいる、請求項１３に記載のシステム。
【請求項１５】
検査手段は、学習した状態に基づいて特徴をソートする手段を含んでいる、請求項１４に記載のシステム。
【請求項１６】
検査手段は、デバイスＩＤｓに基づいて特徴をソートする手段を含んでいる、請求項１５に記載のシステム。
【請求項１７】
検査手段は、学習したポート又はインターフェースに基づいて特徴をソートする手段を含んでいる、請求項１６に記載のシステム。
【請求項１８】
検査手段は、ＶＬＡＮ名又はＶＩＤに基づいて特徴をソートする手段を含んでいる、請求項１７に記載のシステム。
【請求項１９】
ＭＡＣアドレスに基づいて特徴をソートする手段は、全てのマルチキャストアドレス又はブロードキャストアドレスを除外する手段を含んでいる、請求項１８に記載のシステム。
【請求項２０】
学習した状態に基づいて特徴をソートする手段は、自己に基づいて、その後、学習したことに基づいて特徴をソートする手段を含んでいる、請求項１９に記載のシステム
【請求項２１】
デバイスＩＤｓに基づいて特徴をソートする手段は、複製ＭＡＣアドレスが学習されるポート又はインターフェースと同様に、異なったネットワークフォワーディングデバイス上で複製ＭＡＣアドレスの発見を再点検する手段を含み、共通ブロードキャストドメイン内でこれらのデバイスの隣接性及びメンバーシップを特定する、請求項２０に記載のシステム。
【請求項２２】
物理的なポート或いは論理インターフェースの何れかは、共通ブロードキャストドメイン内でデバイスの隣接性及びメンバーシップを特定するために使用される、請求項２１に記載のシステム。
【請求項２３】
ネットワーク管理システムは、ネットワークの共有ブロードキャストドメインを含むＭＡＣ−ブロードキャスト・ドメインテーブルを有している、請求項２２に記載のシステム。
【請求項２４】
ポート又はインターフェースを有するデバイスを具えたネットワークのネットワーク管理システムは、
ネットワークのデバイスのポート及び／又はインターフェースに関する特徴を学習する手段；及び
学習した特徴から、各デバイスの何れのポート及び／又はインターフェースが、共通ブロードキャストドメインの一部であるかを特定する手段であって、該特定手段は学習手段と連絡している、
を含んでいるネットワーク管理システム。
【発明の詳細な説明】
【技術分野】
【０００１】
本発明は、ネットワークの共有ブロードキャストドメインの決定に関する。より詳細には、本発明は、ネットワークのデバイスのポート又はインターフェースに関して学習した特徴に基づいて、ネットワークの共有ブロードキャストドメインを決定することに関する。
【背景技術】
【０００２】
イーサネット、ＡＴＭ又はマルチサービスＩＰ／ＭＰＬＳスイッチのような、マルチポート・ネットワーク・デバイスは、802.1Q Virtual LAN(ＶＬＡＮｓ)、ポートベースＶＬＡＮｓ、ＡＴＭ ＶＬＡＮｓ及びＥＬＡＮｓ(Emulated LANs)又はＭＡＣアドレスベースＶＬＡＮｓを通じて、マルチプル・ブロードキャストドメインをサポートできる。そのようなデバイスの幾つかが互いに繋がっている場合、物理的なスイッチポート又は論理スイッチインターフェース(例えば、ATM/Frame Relay Virtual Circuits又はMPLS Label Switched Paths)の何れが、同じブロードキャストドメインであるのか、即ち、他のスイッチポート又はインターフェースへ取り付けられた他のデバイスからブロードキャストを受け取ることができるのかを判断することは困難である。本発明は、学習したＭＡＣアドレス、デバイスＩＤｓ、ポート又はインターフェース及び、ネットワーク管理システム(ＮＭＳ)によって学習したＶＬＡＮ名又はＶＬＡＮ ＩＤｓ(ＶＩＤｓ)を使用し、各デバイス上のどのポート又はインターフェースが、同一ブロードキャストドメインの一部であるのかを正確に決定するテーブルを作成する。これは、サービスプロバイダ(又は大企業)によって、サービスプロバイダのネットワークを介して、任意のカスタマのＬＡＮから同一のカスタマ所有の他のＬＡＮまで、トランスペアレントＬＡＮサービス(ＴＬＳ)の発見及び提供をサポートするための重要な要素である。そのような技術がない場合、ＮＭＳ又はElement Management System(ＥＭＳ)は、スイッチポート又はインターフェースを、誤って、間違ったブロードキャストドメイン／ＶＬＡＮへ供給し、それ故に、ネットワークトラフィックを、或るカスタマのＬＡＮから別のカスタマのＬＡＮへ導入する可能性がある。このことは、カスタマのネットワークのセキュリティ侵害をもたらすだけでなく、カスタマのネットワークルーティング、スイッチング及びアドレッシング・コンフィギュレーションに悪影響を及ぼすから、内部のカスタマ・ネットワーク・サービスは、妨害されるか使用不能にされる。
【発明の開示】
【０００３】
＜発明の要旨＞
本発明は、共有ブロードキャストドメインを決定するためのシステムに関する。該システムは、物理的なポート及び／又は論理インターフェースを有するデバイスと、ネットワーク管理システムとを具えたネットワークを含んでいる。該ネットワーク管理システムは、ネットワークのデバイスのポート又はインターフェースに関する特徴を学習するための手段を有している。該システムは、学習した特徴から、各デバイスの何れのポート又はインターフェースが共通ブロードキャストドメインであるかを特定するための手段を含んでいる。該特定手段は、ネットワーク管理システムと連絡している。
【０００４】
本発明は、ポート又はインターフェースを有するデバイスを具えたネットワークのネットワーク管理システムに関する。該ネットワーク管理システムは、ネットワークのデバイスのポート又はインターフェースに関する特徴を学習するための手段を含んでいる。該ネットワーク管理システムは、学習した特徴から、各デバイスの何れのポート又はインターフェースが共通ブロードキャストドメインの一部であるかを特定する手段を含んでおり、該特定手段は、学習手段と連絡している。
【０００５】
本発明は、ネットワークデバイスと、ポート又はインターフェースの共有ブロードキャストドメインを決定するための方法に関しており、該方法は、ネットワーク管理システムによって、ネットワークのデバイスのポート又はインターフェースに関する特徴を学習する工程を含んでいる。学習した特徴から、各デバイスの何れのポート又はインターフェースが同じブロードキャストドメインの一部であるかを特定する工程がある。
【０００６】
添付の図面において、本発明の望ましい実施例及び発明を実行する望ましい方法を例示している。
【発明の詳細な説明】
【０００７】
ここで、幾つかの図を通じて、同様又は同一の部品には同じ符号を付している図面、より具体的には図１を参照すると、共有ブロードキャストドメインを決定するシステム(10)を示している。システム(10)は、物理的なポート(16)及び／又は論理インターフェース(18)と、ネットワーク管理システム(20)とを有するネットワーク(12)を含んでいる。ネットワーク管理システム(20)は、ネットワーク(12)のデバイス(14)のポート(16)又はインターフェース(18)に関する特徴を学習するための手段を有している。システム(10)は、学習した特徴から、各デバイスのポート(16)又はインターフェース(18)が共通ブロードキャストドメインの一部であるかを特定する手段を含んでいる。特定手段(24)は、ネットワーク管理システム(20)と連絡している。
【０００８】
特定手段(24)は、デバイス(14)において、共有特徴を検査する手段を含むことが望ましい。検査手段(26)は、ＭＡＣアドレスに基づいて特徴をソートする手段を含むことが望ましい。検査手段(26)は、学習した状態に基づいて特徴をソートする手段を含むことが望ましい。検査手段(26)は、デバイスＩＤｓに基づいて特徴をソートする手段を含むことが望ましい。検査手段(26)は、学習したポート(16)又はインターフェース(18)に基づいて特徴をソートする手段を含むことが望ましい。検査手段(26)は、ＶＬＡＮ名及び／又はＶＩＤに基づいて特徴をソートする手段を含むことが望ましい。
【０００９】
ＭＡＣアドレスに基づいて特徴をソートする手段は、全てのマルチキャストアドレス又はブロードキャストアドレスを除外する手段を含むことが望ましい。学習した状態に基づいて特徴をソートする手段は、自己(self)に基づいて、その後、学習したこと(learned)に基づいて特徴をソートする手段を含むことが望ましい。
【００１０】
デバイスＩＤｓに基づいて特徴をソートする手段は、学習したポート(16)又はインターフェース(18)と同様に、異なったネットワークフォワーディングデバイス(14)上で複製ＭＡＣアドレスの発見を再点検する手段を含み、共通ブロードキャストドメイン内でこれらのデバイスの隣接性(adjacencies)及びメンバーシップ(membership)を特定することが望ましい。論理インターフェース(18)は、共通ブロードキャストドメイン内でデバイスの隣接性及びメンバーシップを特定するために使用されることが望ましい。ネットワーク管理システム(20)は、ネットワーク(12)の共有ブロードキャストドメイン(12)を含むＭＡＣ−ブロードキャスト・ドメインテーブル(MAC-to-broadcast domain table)(34)を有することが望ましい。
【００１１】
本発明は、ポート(16)又はインターフェース(18)を有するデバイス(14)を具えたネットワーク(12)のネットワーク管理システム(20)に関する。ネットワーク管理システム(20)は、ネットワーク(12)のデバイス(14)のポート(16)又はインターフェース(18)に関する特徴を学習するための手段を含んでいる。ネットワーク管理システム(20)は、学習した特徴から、各デバイスの何れのポート(16)又はインターフェース(18)が共通ブロードキャストドメインの一部であるかを特定する手段を含んでおり、特定手段(24)は、学習手段と連絡している。
【００１２】
本発明は、ネットワークデバイス(14)と、ポート(16)又はインターフェース(18)の共有ブロードキャストドメインを決定するための方法に関しており、該方法は、ネットワーク管理システム(20)によって、ネットワーク(12)のデバイス(14)のポート(16)又はインターフェース(18)に関する特徴を学習する工程を含んでいる。学習した特徴から、各デバイスの何れのポート(16)又はインターフェース(18)が同じブロードキャストドメインの一部であるかを特定する工程がある。特定工程は、デバイス(14)内の共有特徴に関して検査する工程を含むことが望ましい。検査工程は、ＭＡＣアドレスに基づいて特徴をソートする工程を含むことが望ましい。検査工程は、学習した状態に基づいて特徴をソートする工程を含むことが望ましい。検査工程は、デバイスＩＤｓに基づいて特徴をソートする工程を含むことが望ましい。検査工程は、学習したポート(16)又はインターフェース(18)に基づいて特徴をソートする工程を含むことが望ましい。検査工程は、ＶＬＡＮ名又はＶＩＤに基づいて特徴をソートする工程を含むことが望ましい。
【００１３】
ＭＡＣアドレスに基づいて特徴をソートする工程は、全てのマルチキャストアドレス又はブロードキャストアドレスを除外する手段を含むことが望ましい。学習した状態に基づいて特徴をソートする工程は、自己に基づいて、その後、学習したことに基づいて特徴をソートする工程を含むことが望ましい。デバイスＩＤｓに基づいて特徴をソートする工程は、学習したポート(16)又はインターフェース(18)と同様に、異なったネットワークフォワーディングデバイス(14)上で複製ＭＡＣアドレスの発見を再点検する工程を含み、共通ブロードキャストドメイン内でこれらのデバイスの隣接性及びメンバーシップを特定することが望ましい。物理的なポート(16)と論理インターフェース(18)は両方とも、共通ブロードキャストドメイン内でデバイスの隣接性及びメンバーシップを特定するために使用されることが望ましい。
【００１４】
本発明の作動の際、ＮＭＳを使用して、個々のネットワーク(12)のスイッチと、それらのポート(16)又インターフェース(18)のブロードキャストドメイン／ＶＬＡＮを正確に決定する能力は、多くの利点をもたらす。
・改善されたネットワークセキュリティ  −  ネットワーク管理者は、どのネットワークデバイス(14)が、お互いのネットワーク(12)トラフィックを直接的に受け入れることができるかを、瞬時に決定できる。
・ＮＭＳ開発者のために、より信頼性のある発見及び報告  −  ＶＬＡＮ名、ＩＤｓ、タグ付けオプション等は、個々のネットワーク(12)要素上で構成されているので、それらだけに基づくのではなく、この方法の使用によって、ＮＭＳ開発者は、たとえネットワーク(12)要素の構成ミスがあった場合でも、正確な情報を提供できる。
・ネットワーク(12)トラフィックを追加することなく、一層良い情報の提供  −  多くのＮＭＳｓは、この方法を実行するために必要な情報を既に発見しているであろうから、付加コーディングは殆ど必要でなく、ネットワーク(12)管理ステーションクエリーを追加する必要はない。
・ネットワーク(12)要素の構成ミスと、それによるサービス契約違反が生じる可能性の低減  −  ネットワーク(12)ブロードキャストドメインに関する正確な情報を提供することによって、この方法は、ネットワーク(12)要素とエンドユーザデバイスとの間に接続ミスが生じる可能性や、内部ネットワーク又はカスタマ・ネットワークに対する悪影響や、ネットワーク(12)崩壊に起因する契約違反又は訴訟等を大幅に減少させる。
【００１５】
ＮＭＳによるブロードキャストドメイン／ＶＬＡＮｓの同期化は、２以上のネットワークデバイス(14)が同じユニキャストＭＡＣアドレスを学習する場合、ＭＡＣアドレスが学習されたそれらのポート(16)又はインターフェース(18)は、同じブロードキャストドメイン内になければならないという事実に依存している。別の言い方をすると、ネットワーク(12)のブリッジング及びルーティングの全規則は、１つのデバイスが他のデバイスのユニキャストＭＡＣアドレスを学習できるのは、それらの２つのデバイスが同じブロードキャスト内にあり、レイヤ２アドレッシングを使用してお互いに直接連絡できる時だけであるという事実に依存している。マルコーニ社のServiceOn Data NMSは、そのようなマルチ−デバイス・ブロードキャストドメインを説明するために、「ハイレベルなＶＬＡＮｓ」なる語を使用している。異なったブロードキャストドメイン／ＶＬＡＮｓにあるデバイス(14)は、ルータがそれらデバイス間へフレームを伝送しない限り、通信できない。親デバイス(originating device)は、そのフレームを、送信元ＭＡＣとして、自己アドレスと一緒に、ルータのＭＡＣアドレスへ送らねばならず、レイヤ３アドレス(ＩＰ、ＩＰＸ、AppleTalk等)は、勿論、実際の送信元及び宛先デバイス(14)のものである。２つのブロードキャストドメイン間のルータは、宛先レイヤ３アドレスを検索し、それへの次ホップ(next hop)を割り出し、その後、フレームを再構築し、宛先ＭＡＣアドレスを、宛先デバイス或いは(もしあれば)次ホップルータの何れかのアドレスに変更しなければならず、さらに、インターフェース(18)のためにＭＡＣを使わねばならない。ここで、フレームに対する送信元ＭＡＣアドレスとして、ブロードキャストドメイン／サブネットである。
【００１６】
上記で説明した「共有ＭＡＣアドレス＝同じブロードキャストドメイン／ＶＬＡＮ」ルールを利用するために、ＮＭＳによって、ネットワークデバイス(14)から特定の情報を収集しなければならない。様々なテーブルのレイアウトは、デバイスによって異なるが、各テーブルには５つのキーフィールドがあり、それらは、デバイスの隣接性の決定に使用できる。
１．ＭＡＣアドレス
２．「学習した」状態(Yes或いはNo?−このＭＡＣは「Not Me」或いは「Me」?)
３．(ＮＭＳデータベースからの)デバイス名／ＩＤ
４．アドレスが学習されたポート／インターフェース
５．ＶＩＤ及び／又はＶＬＡＮ名
【００１７】
この情報を使用し、マルチデバイスのアドレス・フォワーディング・テーブル(ＡＦＴｓ)内で共有ＭＡＣアドレスを検査することにより、ＮＭＳは、以下のようにソートされたＭＡＣ−ブロードキャスト・ドメインテーブル(34)を構築することによって、共有ブロードキャストドメインを決定することができる。
１．第１キー：ＭＡＣアドレスに基づいてソートし、任意のマルチキャストアドレス又はブロードキャストアドレス(最初のバイトが奇数である任意のＭＡＣｓ)を除外する。なぜなら、それらのＭＡＣｓは、デバイス固有(device-specific)ではない(即ち、それらは、単一のデバイスでなく、一群のデバイスに関連している)。
２．第２キー：次に、「学習された」状態に基づいて(最初は自己に、次に学習したことに基づき)ソートする−できれば、ＭＡＣが、何れのネットワーク(12)デバイスに属しているのかを学習する。
３．第３キー：次に、(ＮＭＳデータベースからの)デバイスＩＤｓに基づいてソートする−異なったポート(16)又はインターフェース(18)で学習される、同じデバイス上の複製ＭＡＣｓを探す(デバイスは移動しているかもしれないが、ＡＦＴは、古いポート番号を未だ除去(aged out)していない)。
４．第４キー：(第３キーで複製ＭＡＣｓが見つかった場合、)次に、学習されたポート(16)又はインターフェース(18)に基づいてソートする。
５．第５キー：(先と同様に、異なったＶＬＡＮｓで複製ＭＡＣｓが見つかった場合、)最後に、802.1Q ＶＩＤ又はＶＬＡＮ名に基づいてソートする。
【００１８】
下記のテーブルを参照して、ＶＩＤｓ及び／又はＶＬＡＮ名が最後にソートされるのは、デバイス(14)が全て同じブロードキャストドメイン内にあるにも拘わらず、ＶＩＤｓ及び／又はＶＬＡＮ名は一致しないからである。これは、ハイレベルなＶＬＡＮの「非一貫性同期化」("Inconsistent Sync")状態である。
【００１９】
【表１】
2004328732.tif 000003
【００２０】
同じＭＡＣアドレスに関する４つの例は、同じ一組のデバイスに現れ、それ故に、同じブロードキャストドメイン内にあるはずである。
ここで留意すべきは、デバイスが全て同じブロードキャストドメイン内にあるにも拘わらず、ＶＩＤｓ及びＶＬＡＮ名は一致しないことである。これは、ハイレベルなＶＬＡＮの「非一貫性同期化」状態である。
注意：上記のテーブルに記載の「ハイレベルなＶＬＡＮｓ」は、ブロードキャストドメインに対する別の表現である。マルコーニ社のServiceOn Data NMSは、この用語を使用して、単一ブロードキャストドメインを形成する、１以上の直接的に接続されたデバイス(14)上にある個々の特定デバイス向けＶＬＡＮｓの集合体を説明している。
【００２１】
一旦このテーブルが作られると、何れのＭＡＣアドレスが、学習されておらず、それ故に、個々のスイッチ及びルータに属するかが見出され、ＮＭＳは、何れのポート(16)或いはインターフェース(18)が、これらのデバイス(14)を互いに接続するために使用されるかを決定できる。例えば、ES-1200のＭＡＣは、ESR-5000によってそのポート3/2で学習され、ＥＳＲのＭＡＣは、ES-1200によってそのポートGIGA1で学習された。その他のネットワーク(12)デバイス(即ちＭＡＣアドレス)は、ＥＳＲによってポート3/2で学習されなかったから、このポートは、ＥＳＲを直接的にES-1200へリンクすると考えられる。しかも、ES-1200は、他のネットワーク(12)デバイス・ＭＡＣアドレスの全てをそのポートGIGA1で学習したから、ＥＳＲは、同じブロードキャストドメイン内で、ES-1200を他のネットワークデバイス(14)(ES-1000及びES-1300)へ接続する中間デバイスに違いない、と考えることができる。図２は、デバイス(14)間の実際の物理的な接続を示している。
【００２２】
ＮＭＳは、「トランクポート」の状態に特別な監視を行わなければならない。これらは、スイッチ及びルータのようなネットワークデバイス(14)を互いにリンクさせる物理的なポート(16)である。これらのリンク又はトランクポート自体の状態がDOWNの場合、これは、ブロードキャストドメインが分割されていることを意味しており、そこで、ＮＭＳは、ハイレベルなＶＬＡＮ状態に変え、そのブロードキャストドメインに、それの「非同一」状態による深刻な問題が存在することを、示さなければならない。
【００２３】
さらに留意すべきは、上記に挙げた４つのデバイス(14)は全て、同じブロードキャストドメイン内にあるにも拘わらず、これらのデバイス(14)に割り当てられたＶＩＤ及びＶＬＡＮ名は異なるということである。ＮＭＳは、このハイレベルなＶＬＡＮの同期化状態を「非一貫性」として報告しなければならず、また、特定のデバイス(14)のＶＬＡＮ名を同期化させて、同じブロードキャストドメイン内にある、他のデバイスのＶＬＡＮｓ名に一致させる手段を、ユーザに提供しなければならない。しかしながら、如何なるデバイスのＶＩＤｓも変えようしてはいけないのは、ネットワークデバイス(14)は通常このことを許容しないからである。例えば、上記のES-1200は、新規なＶＬＡＮが作られる際にＶＩＤを自動的に割り当てる、ポートベースＶＬＡＮモードにて実行されている。ES-1000は、ＶＩＤを全く使用しない、ＭＡＣベースＶＬＡＮモードにて実行されていた。
【００２４】
学習手段(22)は、幾つかのIEEE規格に合った十分に確立した技術を使用する。該技術には
802.3(イーサネットＭＡＣアドレス及びフレームフォーマット用)
802.1D(ブリッジ学習及びフォワーディングテーブル用)
802.1Q(ＶＬＡＮ ＩＤｓ及びフレームタグ用)が挙げられ、これらは全て、本願に組み入れられる。
【００２５】
(ＩＥＴＦ標準である)ＩＰ、ＩＣＭＰ及びＳＮＭＰは、ネットワークデバイス(14)を発見し、それらに関する情報(この説明中に記載した特徴を含む)を収集するためにも使用できる。該特徴は、既知のネットワークの一般的なオペレーションにおいて学習される。
【００２６】
今日の事業において、ネットワークデバイスのベンダーは何れも、他のベンダーのスイッチング及びルーティング装置にも使用するために、これらの標準をサポートしている。この説明中に記載した方法及びシステム(10)は、全ての他の供給メーカーがＮＭＳ又はＥＭＳを介して使用及び発見できる同一情報を取り込んでおり、その情報を使用して、マルチデバイスのブロードキャストドメイン及びＶＬＡＮメンバーシップを決定している。故に、デバイスから新たに学習するものや、既存の装置に要求される変更などは無い。ネットワーク(12)を管理し監視するために、この情報を使用する新規な方法が存在するだけである。学習手段(22)は、特定手段(24)、検査手段(26)、ソート手段(28)、フィルタリング手段(30)及び再点検手段(32)は全て、ネットワーク管理システム(20)内に配備されるソフトウェアであってよい。
【００２７】
本発明を例示の目的で前記の実施例において詳細に説明してきたが、そのような詳細は、単にその目的のためであって、当該分野の専門家であれば、添付の請求の範囲に記載されるものを除いて、発明の精神及び範囲から逸脱することなく変更を成し得ると理解されるべきである。
【図面の簡単な説明】
【００２８】
【図１】本発明のシステムの概略図である。
【図２】デバイス間の物理的な接続を示す概略図である。
【図１】
2004328732.tif 000004
【図２】
2004328732.tif 000005